(57)【要約】【課題】従来技術の欠点を克服して、光学的要素の所定の位置決めを行うことのできる保持装置を提供することである。【解決手段】光学的要素（１８）を保持するための装置であって、該装置（１，２）は並置された自由開口部（３）を有し、並置された開口部（３）の方向には、切欠部（５）を備える軌道（４）が設けられており、該切欠部は、軌道（４）に沿って走行するボールベアリング（６）と係止係合されるように構成されており、これにより装置（１，２）は選択された位置に保持される形式の装置において、切欠部（５）は走行方向に、２つの弓状プロフィール（１０，１１）の組み合わせからなるプロフィールを有し、曲率の比較的小さい外側プロフィール（１１）が曲率の比較的大きい内側プロフィール（１０）を取り囲む。【選択図】図２
2006119645.tif 000002
【特許請求の範囲】
【請求項１】
光学的要素（１８）を保持するための装置であって、該装置（１，２）は並置された自由開口部（３）を有し、
並置された開口部（３）の方向には、切欠部（５）を備える軌道（４）が設けられており、
該切欠部（５）は、軌道（４）に沿って走行するボールベアリング（６）と係止係合されるように構成されており、これにより該装置（１，２）は選択された位置に保持される形式の装置において、
前記切欠部（５）は走行方向に、２つの弓状プロフィール（１０，１１）の組み合わせからなるプロフィールを有し、
曲率の比較的小さい外側プロフィール（１１）が曲率の比較的大きい内側プロフィール（１０）を取り囲む、ことを特徴とする装置。
【請求項２】
請求項１記載の装置であって、該装置は回転ディスク（１）として構成されており、
該回転ディスク（１）はその中央に、回転軸（１３）に対する孔部（１２）を有し、
該回転軸（１３）に対して同心の円軌道上には自由開口部（３）が配置されており、
回転ディスク（１）上には、切欠部（５）を備え、回転軸（１３）に対して同心である軌道（４）が設けられており、
該切欠部は、軌道を周回するボールベアリング（６）と係止係合されるように構成されており、
これにより回転ディスク（１）は選択された位置に保持される装置。
【請求項３】
請求項１記載の装置であって、該装置は長手スライダ（２）として構成されており、
該長手スライダ（２）は長手方向に並置された自由開口部（３）を有し、
長手方向には、切欠部（５）を備える軌道（４）が設けられており、
該切欠部は、軌道（４）に沿って走行するボールベアリング（６）と係止係合されるように構成されており、これにより長手スライダ（２）は選択された位置に保持される装置。
【請求項４】
請求項１から３までのいずれか一項記載の装置において、弓状のプロフィール（１０，１１）は円弧であり、
外側プロフィールの円弧は、内側プロフィール（１０）の円弧が所属する円よりも半径の大きな円に配属されており、
配属された円は共通の中心を有していない、ことを特徴とする装置。
【請求項５】
請求項４記載の装置において、外側プロフィールおよび内側プロフィール（１０，１１）の所属の円弧のそれぞれの曲率半径（ｒ１，ｒ２）は、ボールベアリング（６）内を運動するボール（７）の半径（Ｒ）より大きく、ないしは小さく選択されている、ことを特徴とする装置。
【請求項６】
請求項１から５までのいずれか一項記載の装置において、該装置はその外縁部に歯部（１４）を有し、
該歯部（１４）は、モータ駆動されるピニオン（１５）と係合するように構成されており、これにより自由開口部（３）は軌道（４）の方向に移動される、ことを特徴とする装置。
【請求項７】
請求項１から６までのいずれか一項記載の装置において、該装置は一方の側で光学的要素（１８）を担持するための担持装置（１７）と接続されており、
光学的要素に対する担持部は、それぞれ１つの光学的要素（１８）が該装置内の１つの自由開口部（３）に配属できるように配置されている、ことを特徴とする装置。
【請求項８】
対象物（２６）に配向された照明ビーム路（２７）と、対象物（２６）から発する結像ビーム路（２８）とを有する顕微鏡（２５）であって、請求項１から７までのいずれか一項記載の装置（１，２）が設けられており、該装置によって、選択可能な光学的要素（１８）が顕微鏡（２５）の照明ビーム路および／または結像ビーム路（２７，２８）に挿入可能である顕微鏡。
【発明の詳細な説明】
【技術分野】
【０００１】
本発明は、光学的要素の保持装置に関するものであり、この装置は並置された自由開口部を有し、並置された（複数）開口部の方向には、切欠部（ノッチ）を備える軌道が配置されており、該切欠部は、軌道に沿って走行するボールベアリングと係合状態にもたらされるように構成されており、これにより装置は選択された位置に保持される。とりわけ本発明は、光学的要素を保持するための回転ディスクに関するものであり、この回転ディスクはその中央に回転軸に対する孔部を有し、回転軸に同心の円軌道上には自由開口部が配置されており、回転ディスクには回転軸に同心に、切欠部を備える軌道が配置されており、この切欠部は軌道を周回するボールベアリングと係合状態にもたらされるように構成されており、これにより回転ディスクは選択された位置に保持される。さらに本発明は、相応の長手スライダに関するものであり、この長手スライダは長手方向に並置された自由開口部を有し、切欠部を備える相応する軌道が長手方向に設けられている。
【背景技術】
【０００２】
光学的要素を保持するためのこの種の回転ディスクと長手スライダは例えばＤＥ１９９３６４９７Ｃ２から公知である。そこで取り扱われる回転ディスクは、回転軸と８つの自由開口部を有する。回転ディスクはその外縁部に歯部を有する。この歯部には駆動モータのピニオンが係合し、回転ディスクをその回転軸を中心にして回転させる。回転ディスクの下側には、傾斜した８つの側面を備える円筒状のホルダが取り付けられており、傾斜した各側面は、例えば蛍光フィルタブロックのような取り付けるべき光学的要素に対する保持機構を有する。光学的要素を取り付けた後、この光学的要素は回転ディスクの自由開口部の下方に存在するようになる。実施形態では、８つの光学的要素を回転ディスクに保持することができる。
【０００３】
同様にＤＥ１９９３６４９７Ｃ２によれば、回転ディスクの外縁部では自由開口部の間にそれぞれ係止溝が配置されており、この係止溝は回転ディスクの縁部に取り付けられた係止装置と、回転ディスクが所定の位置に保持され得るように相互作用する。このために係止装置は弾性支承されたボールベアリングを有し、このボールベアリングは、係止溝の設けられた軌道に沿って走行することができる。係止溝に衝突するとベアリングの一部が溝に係合し、係止係合が発生する。この係止溝は回転ディスクの高精度の位置決めと、選択された位置での確保のために必要である。前記刊行物で開示された係止溝は矩形のＵ字形プロフィールを有する。
【０００４】
このような係止溝または切欠部に対するＶ字形のプロフィールも公知である。しかしこのプロフィールの欠点は、ボールベアリングが激しく切欠部に当たることであり、そのため震動が発生し得る。さらに公知のプロフィールでは切欠部の捕獲領域（キャッチ範囲）が小さい。そのため、回転ディスクの駆動モータは係合した瞬間に初めて停止することができる。
【０００５】
前記刊行物ＤＥ１９９３６４９７Ｃ２に記載の回転ディスク、および同様に機能し、光学的要素を長手方向に保持し、スライドすることのできる長手スライダは、とりわけ蛍光フィルタブロックを蛍光顕微鏡で保持するために使用される。各位置には回転ディスク上で読み出し可能な符号化標識が配属されており、この符号化標識はそれぞれ回動されるフィルタブロックの特性についての情報を提供する。蛍光フィルタブロックは、蛍光顕微鏡の照明ビーム路および結像ビーム路に旋回して挿入され、そして光源の光がフィルタリングされて対象物に偏向され、対象物から発する光が対物レンズを介し、蛍光フィルタブロックのさらなるフィルタを通過し、さらに回転ディスクの自由開口部を通過し、そこから顕微鏡の接眼レンズに到達する。前記のドイツ特許明細書ではフィルタブロックに対する保持が発明の対象であるが、本発明はこのような装置において、この装置と結びついた光学的要素の所定の位置決めに対して責任のある切欠部を対象とする。そしてこれまで公知の切欠部の欠点を克服するものである。
【０００６】
【特許文献１】ＤＥ１９９３６４９７Ｃ２（＝対応特願２００１−１０８９０９号公報）
【発明の開示】
【発明が解決しようとする課題】
【０００７】
本発明の課題は、従来技術の欠点を克服して、光学的要素の所定の位置決めを行うことのできる保持装置を提供することである。
【課題を解決するための手段】
【０００８】
上記課題は本発明により、切欠部（ノッチ）が走行方向に、２つの弓状プロフィールの組み合わせからなるプロフィールを有し、比較的曲率の小さい外側プロフィールが、比較的曲率の大きい内側プロフィールを取り囲むことにより解決される。言い替えると、本発明の切欠部（ノッチ）のプロフィールは、中心にある比較的曲率の大きい（即ち曲率半径の小さい）円形（または弓状の）プロフィールを備え、このプロフィールは比較的曲率の小さい（曲率半径の大きい）（円形または弓状の）プロフィールへと２つの縁部に向かって移行する。
【発明の効果】
【０００９】
本発明の装置により、とりわけ光学的要素の所定の位置決めを行う際に、ボールベアリングをソフトかつ低震動で切欠部に係合することが可能となる。
【発明を実施するための最良の形態】
【００１０】
本発明の（保持）装置では、ボールベアリングは、切欠部に、ソフトに低震動で係合することができる。すなわちボールがＶ字溝または矩形のＵ字溝のエッジを飛び越えても急激な係合は行われず、本発明の切欠部へソフトに転がり込む。この転がり込みは、ボールが曲率の比較的大きな切欠部の領域に達すると終了する。この際切欠部の曲率の比較的大きな領域（すなわち内側プロフィール）によりボールを部分的に包囲するか、またはボールが内側プロフィールのエッジ、すなわち内側プロフィールから外側プロフィールへの移行個所に載置される。いずれの場合でも、係止係合（Einrasten）による位置決めが安定しており、遊びなしで維持できることが保証され、駆動モータが新たに使用される際には切欠部を比較的抵抗なしに再び離脱することができなければならない。
【００１１】
前記の切欠部を備える本発明の装置は、捕獲領域（ボールのキャッチ範囲）が大きいという利点を有する。すなわち、ボールが切欠部の第１のエッジに達するとき、すなわちボールが切欠部の外側弓状プロフィールに到達する瞬時にモータをすでに遮断することができる。ボールは引き続き、切欠部内で係止係合するまで強制的に案内される。従って本発明により、ベアリングの転がりが穏やかとなり、駆動モータおよびその軸も傷まないようになる。さらに光学的構造体を低震動で調整したいという顧客の既存の要望を本発明の切欠部により満たすことができる。これにより相応の光学的要素により作業する際に、作業ノイズが非常に小さくなる。
【００１２】
ここで、切欠部の弓状プロフィールの各々は任意の丸い（曲線状）幾何形状とすることができ、例えば放物線状または円形、または楕円の一部とすることができる。ここで円形プロフィールは製造技術的に比較的簡単に実現することができる。さらに内側弓状プロフィールおよび外側弓状プロフィールは共通の対称軸を有し、従って切欠部は全体でこの対称軸に対して対称である。しかし内側プロフィールと外側プロフィールが共通の対称軸を有しないことも考えられる。この場合は、切欠部への転入と切欠部からの転出を幾何学的に異なるよう構成することができる。
【００１３】
前記の切欠部および利点を備える本発明の装置は、完全に同じようにして、光学的要素を保持するための回転ディスクに対しても、長手スライダに対しても実現される。ここで回転ディスクはその中央に回転軸に対する孔部を有し、回転軸に対して同心の円軌道上には自由開口部が配置されており、回転ディスク上では回転軸に対して同心の軌道に切欠部が設けられており、この切欠部は、軌道を周回するボールベアリングと係止係合されるように構成されており、これにより回転ディスクは選択された位置に保持される。長手スライダは、長手方向に並置された複数の自由開口部を有し、長手方向にはここでも軌道に切欠部が設けられており、この切欠部は、軌道に沿って運動するボールベアリングと係止係合されるように構成されており、これにより長手スライダは選択された位置に保持される。
【００１４】
もちろん前記の回転ディスクおよび前記の長手スライダの他に、光学的要素を保持し、選択された光学的要素を固定位置にもたらすための別の幾何形状も考えられる。本発明は、このような他の適切な幾何形状に容易に転用することができる。以下、回転ディスクまたは長手スライダは、請求される装置に対する例示であり、この装置に対する限定と理解すべきではない。
【００１５】
切欠部が２つの弓状のプロフィールからなり、この弓状プロフィールがそれぞれ円弧であると有利である。外側プロフィールの円弧は、内側プロフィールの円弧に所属する円よりも半径の大きな円に配属されている。円弧としてのＵ字形プロフィールの構成の利点は、切欠部を容易に作製できることであり、とりわけ捕獲領域が大きく、ソフトで震動の少ない係合が得られる。この構成では、複数のプロフィールに配属された複数の円は共通の中心を有していない。切欠部への転入ないし切欠部からの転出に関して対称の切欠部を有すると有利である。この場合は、配属された円の中心がプロフィールの対称軸上で相互にずれて配置される。
【００１６】
プロフィールの所属の円弧の２つの曲率半径が、ボールベアリング内を走行するボールの半径よりも大きくないしは小さく（一方が大きく、他方が小さく）選択されていると有利である。後者の構成の場合、ボールベアリング内を弾性的に支承され、かつ円形ディスク上の軌道ないしは長手スライダ上の軌道に沿って走行するボールの半径が本発明の切欠部のプロフィールの円弧を選定するために考慮される。
【００１７】
回転ディスクがその外縁部に歯部を有し、この歯部がモータ駆動されるピニオンに係合するように構成されており、これにより回転ディスクが回転軸を中心に回転すると有利である。同じように長手スライダがその外縁部に同種に構成された歯部を有し、長手スライダを長手方向にモータ駆動されるピニオンによって移動させることができると有利である。切欠部を備える本発明の回転ディスクないし本発明の長手スライダの軌道は、歯部を備える外縁部の上方または下方に延在することができ、この軌道は付加的にさらに回転ディスクないし長手スライダの面内で、歯部を備える外縁部に対して前方または後方にずらすことができる。しかし切欠部を備える軌道を回転ディスクないし長手スライダの上側に設けることもできる。もちろんすべての場合で、弾性支承されたボールベアリングを含む係止装置が相応に配向されていることが前提である。
【００１８】
さらに切欠部が回転ディスクないしは長手スライダの自由開口部間に存在するようにし、これにより開口部の近傍にある光学的要素との衝突の危険性を回避すると有利である。
【００１９】
さらに、回転ディスクないし長手スライダが適切な位置、例えば自由開口部近傍の外縁部にそれぞれ符号化標識を有し、この符号化標識を（例えば読み出し装置によって）読み出すことができると有利である。これにより自動的に回転ディスクないし長手スライダ上のどの位置をちょうど走行したのかを識別することができる。
【００２０】
回転ディスクまたは長手スライダ、または一般的に本発明の装置は、光学的要素を担持するための担持装置と一方の側で結合されるように設けられる。ここで光学的要素に対する担持部は、それぞれ１つの光学的要素が回転ディスクないし長手スライダにある１つの自由開口部に配属できるように配置される。
【００２１】
この種の構成はすでに冒頭でＤＥ１９９３６４９７Ｃ２と関連して論議した。光学的要素に対する担持部は、前記特許明細書に記載のように、ピン、バネまたはダブテール形ホルダの形状を有することができる。担持部の他の形状ももちろん可能であり、当業者には公知である。
【００２２】
本発明は特に顕微鏡、とりわけ蛍光顕微鏡と関連して使用するのに適する。この顕微鏡では、対象物に配向された照明ビーム路と、対象物から発する結合ビーム路が設けられており、回転ディスクまたは長手スライダまたは一般的に本発明の装置が設けられており、回転ディスクないしは長手スライダに保持された、選択可能な光学的要素が顕微鏡の照明ビーム路および／または結像ビーム路に挿入される。回転ディスクないしは長手スライダの自由開口部によって、それぞれのビーム路は光学的影響を受けることなしに通過することができる。自由開口部をさらなる光学的影響を与えるために利用することも考えられる。この場合、光学的構成部材（例えばフィルタ）が自由開口部に挿入される。
【００２３】
以上の好適な実施の形態は、夫々従属請求項に記載されており、本発明の更なる対象である。以下、本発明とその利点を添付図面に示された実施例に基づき詳細に説明する。
【実施例】
【００２４】
図１には、光学的要素を保持するための本発明の回転ディスクの斜視図が示されている。回転ディスク１はその中央に回転軸１３に対する孔部１２を有し、回転軸１３に対して同心の円軌道上には、この実施例では８つの自由開口部３が配置されている。回転ディスク１上には回転軸１３に対して同心の軌道が設けられており、この軌道は８つの切欠部５を備える。この切欠部は、回転ディスク１の高精度の位置決めを保証する。これにより、回転ディスク１に保持される光学的要素（例えば蛍光フィルタブロック）が光学機器（例えば蛍光顕微鏡）へ正確な位置でもたらされ、そこに保持できることが保証される。
【００２５】
図１に示された回転ディスク１はモータ駆動により回転軸１３を中心に回転することができる。このために回転ディスク１の外縁部には（歯車の）歯部１４が設けられており、この歯部にはピニオン１５が歯合する。このピニオンは駆動モータ１６により回転運動される。相応の（ここに図示しない）制御によって、モータ駆動で回転ディスクの所定の位置、ひいては所定の光学的要素に到達することができる。この位置に達すると直ちにモータ１６は遮断され、切欠部５が高精度の位置決めを引き受ける。このためにボールベアリング６が設けられている。このボールベアリングは、ボール７が切欠部５に係合することにより切欠部と相互作用する。ボール７は弾性支承（スプリングバック）されており、この弾性支承は図１に概略的に示された板バネ８により明示されている。
【００２６】
切欠部５の本発明による構成は、図１の実施形態から明らかである。この切欠部５は、共通の対称軸を備える２つの弓状プロフィールの結合である。ここでは曲率の比較的小さな外側プロフィールが曲率の比較的大きい内側プロフィールを包囲している。従ってボール７はまず曲率の小さい外側プロフィールの領域に到達する。次に、曲率の大きい内側プロフィールの領域に案内される。このメカニズムは図２に明りょうに示されている。
【００２７】
図２には断面図で、ボールベアリング６のボール７並びに光学的要素を保持するための装置、すなわちここでは回転ディスク１または長手スライダ２の軌道４内にある本発明の切欠部５が示されている。共通の対称軸９を有する２つの弓状プロフィール１０と１１が明りょうに示されている。プロフィール１０はプロフィール１１よりも大きな曲率を有し、図示の実施例では、ボール７は２つのプロフィールの移行領域、すなわち内側プロフィール１０のエッジに保持される。
【００２８】
ボール７が切欠部５の外側領域に達すると直ちに、回転ディスク１（図１参照）の駆動モータ１６は遮断される。次にボール７は図２に示された位置に強制的に案内され、そこで固定位置に達する。この係合はソフトにかつ低震動で行われる。このことにより震動のない作業と同時に、機械的要素の保護が可能である。同時に切欠部５の捕獲領域（ボールのキャッチ範囲）は、公知の同様のＵ字またはＶ字プロフィールの場合よりも大きい。図示の実施形態によりさらに、駆動モータ１６を新たにスイッチオンした後に係合を低震動で解除することができる。
【００２９】
図３は、図１の本発明の回転ディスク１を上方からの平面図で示す。同じ要素には同じ参照符号が付してある。図３の説明については、図１の回転ディスク１の詳細な図示を参照されたい。図３には切欠部５に沿った断面ラインＣ−Ｃが示されており、図４は図平面に対して垂直の横断面をこのラインＣ−Ｃに沿って示す。図４にはさらに、切欠部５と係合した状態のボール７が示されている。
【００３０】
図５は、２つの円弧形プロフィール１０と１１を備える本発明の装置１，２の切欠部５を示す。図示の構成は実質的に図２の構成に相応する。ここでも同じ要素には同じ参照符号が付してある。本発明の回転ディスク１の軌道４ないし本発明の長手スライダ２には切欠部５が配置されている。この切欠部はこの実施例では、内側プロフィール１０と外側円形プロフィール１１からなる。ここで内側プロフィール１０の円弧の曲率は外側円形プロフィール１１の円弧の曲率よりも大きい。従って切欠部５のプロフィールは、共通の中心を有しない、大きさの異なる２つの曲率半径の重畳として説明することができる。切欠部５は対称であるから、中心１９，２０は相互に対称軸９上でずれている。１９により外側プロフィール１１の円弧に所属する曲率半径ｒ１の中心が示されており、２０により内側プロフィール１０の円弧に所属する曲率半径ｒ２の中心が示されている。図５から、ボール７の半径Ｒは、有利には２つの曲率半径ｒ１とｒ２の間の値を有することが分かる。
【００３１】
図６は、ここでは蛍光顕微鏡として構成された顕微鏡２５を縦断面図に示す。顕微鏡２５には円筒状の担持装置１７が組み込まれており、この担持装置にはここでは蛍光フィルタブロック１８として構成された複数の光学的要素が固定されている。蛍光顕微鏡２５は、光源３３の組み込まれたランプハウス３２，接眼レンズ３５を備える鏡筒３４，並びに光軸を中心に旋回可能な対物レンズ３９を備える対物レンズリボルバ３８を有する。対物レンズの下方では対象物２６が対象物台３６に載置されており、この対象物台は調整ユニット３７を介して高さが調整可能である。
【００３２】
光源３３からは照明ビーム路２７が発し、この照明ビーム路は絞り４１ａ，４１ｂ、照明光学系４２および励起フィルタ２９を通って案内される。ビームスプリッタ３０で照明ビーム路は偏向され、対物レンズ３９によって対象物２６にフォーカシングされる。対象物２０から発した結像ビーム路２８は再び対物レンズ３９，半透明ビームスプリッタ３０および除去フィルタ３１を通過する。結像ビーム路２８はプリズム４４により偏向され、鏡筒光学系４５により中間像面４６に結像される。この画像を接眼レンズ３５により観察することができる。
【００３３】
図６の右に配置された立方体状の蛍光フィルタブロック１８は、ビームスプリッタ３０、照明ビーム路中の励起フィルタ２９および結合ビーム路中の除去フィルタ３１を有する。この蛍光フィルタブロック１８はホルダに固定されており、このホルダは円筒状担持装置１７の構成部材である。担持形式についてはここでは立ち入らない。担持はすでに上に述べた特許明細書ＤＥ１９９３６４９７Ｃ２の対象である。図６から、複数の光学的要素、ここでは蛍光ブロックフィルタ１８が円筒状担持装置１７に取り付けられることが分かる。
【００３４】
本発明の回転ディスク１の回転軸１３には円筒状担持装置１７が同心に固定されている。回転ディスク１は各除去フィルタ３１の上方に、結像ビーム路２８を妨害しないで通過させるための自由開口部３を有する。回転ディスク１はその外縁部に歯部（歯車）１４を有し、この歯部には電気駆動モータ１６のピニオン１５が歯合する。従って駆動モータ１６を介して回転ディスク１は所定の位置へ移動可能であり、このとき選択された位置への微調整は回転ディスク１上の切欠部５によって行われる。
【００３５】
回転ディスク１の外縁部にある符号化標識４０によって、現実に、照明ビーム路および結像ビーム路に旋回挿入された蛍光フィルタブロック１８についての情報を得ることができる。このために符号化標識４０をユーザが読み出すことができ、または自動的に相応のセンサにより読み出して、旋回挿入された蛍光フィルタブロック１８に配属することができる。
【００３６】
図６の実施例では、本発明の回転ディスク１がその軌道４上に、図１に示したような切欠部５を有する。切欠部５自体の詳細は図２および図５に示されている。
【００３７】
もちろん当業者であれば、図６に基づいて説明した本発明を他の顕微鏡２５および他の光学的要素１８に転用することができる。
【００３８】
本発明により、回転ディスク１およびこれにより保持される光学的要素１８を高精度かつ低ノイズ、低震動で位置決めすることができ、同時に切欠部の大きな捕獲領域（ボールキャッチ範囲）が得られる。切欠部５とボールベアリング６は図６には、大きさの関係と分かりやすくするために図示されていない。これについては先行の図面を参考にされたい。
【００３９】
図７は、光学的要素の保持装置としての本発明の長手スライダ２を２つの異なる方向から示す図である。図７Ａにこの長手スライダ２は斜視図で示されている。長手スライダは長手方向に並置された自由開口部３を有し、この実施例では２つの自由開口部３だけが図示されている。もちろん長手スライダは他の数の開口部３、例えば４つ、８つ、またはそれ以上の開口部３を有することができる。長手スライダ２の上方側外縁部では軌道４に切欠部５が設けられている。この切欠部５は、軌道４に沿って延在するボールベアリング６と係止係合されるように構成されており、これにより長手スライダ２を選択された位置に保持することができる。この実施例では２つの切欠部５が設けられており、切欠部５にはそれぞれ直接的に自由開口部３の１つが配属（対応配置）されている。
【００４０】
本発明によれば切欠部５が、２つの弓状プロフィールの組合せとして構成されており、曲率の小さい外側プロフィール１１が曲率の大きい内側プロフィール１０を取り囲む。この事実関係が図７Ｂに示されている。この図は、図７Ａに示した長手スライダ２の、切欠部５と所属の自由開口部３の領域での縦断面図である。軌道４に沿って走行するボールベアリング６が図示されており、このボールベアリングが切欠部５と係止係合される。
【００４１】
２つのプロフィール１０と１１の構成に関しては、すでに回転ディスクと関連して説明したことが当てはまる。その他の点は、プロフィール１０と１１の幾何形状に関する図２，４および図５による実施例を参照されたい。図７Ｂの実施例では、図５に示したような円形プロフィールが前提とされる。切欠部５と係合するボールベアリング６は図７Ｂでは概略的にのみ示されている。さらに長手スライダ２を長手方向にスライドする駆動ピニオンに対する歯部は、図７Ａでは単に概略的に長手スライダ２の端部に示されている。
【００４２】
切欠部５は長手スライダ２の高精度の位置決めを保証し、長手スライダ２に保持される光学的要素（例えば蛍光フィルタブロック）が光学機器（例えば蛍光顕微鏡）に正確な位置でもたらされ、そこに保持されることを保証する。もちろん、図７に示した長手スライダ２は図６に示した顕微鏡に使用することができる。このために、自由開口部３に配属された光学的要素、例えば蛍光フィルタブロック１８が、図６に示したのと同様に照明ビーム路および結像ビーム路に、長手スライダ２の相応のシフトによってもたらされる。その他の点は、当業者であれば困難なしに、本発明の回転ディスクと関連して上に説明した全体実施形態および調整手段を、図７に示した長手スライダ２に転用することができる。
【００４３】
図７Ｂには、断面図で概略的にボールベアリング６並びに長手スライダ２の軌道４にある本発明の切欠部５が示されている。ここでも２つの弓状（円形）プロフィール１０と１１が明りょうに示されている。ボールベアリング６のボール７は２つのプロフィールの移行領域、すなわち内側プロフィール１０のエッジに保持される。長手スライダ２が長手方向に移動または駆動されたとき、ボールベアリング６（のボール７）はまず軌道４上を走行し、切欠部５の外側領域に達する。この時点で長手スライダの駆動を遮断することができる。ボール７は図７Ｂに示した位置に強制的に案内され、そこで固定位置に達する。係止（ノッチ係合）はソフトにかつ低震動で行われる。このことにより震動のない作業が可能となり、同時に機械的要素がいたわられる（摩耗損傷が防止される）。これは例えば図２の長手スライダ２を図６の蛍光顕微鏡に使用する場合に有利である。
【００４４】
長手スライダ２の縁部にある（図７に図示しない）符号化標識を使用することによって、現在取られている位置についての情報を得ることができる（これについては図６の回転ディスク１の縁部の符号化標識４０を参照）。ここでも回転ディスクと関連する実施例に同様のことが当てはまる。切欠部５は図７では、長手スライダ２の自由開口部３の横に直接配置されている。もちろん、切欠部５が軌道４内の自由開口部３の間に配置される構成も可能である。
【００４５】
本発明により、長手スライダ２およびひいてはこれにより支持される光学的要素を、低ノイズかつ低震動で高精度に位置決めすることができ、その際に大きな捕獲領域（キャッチ範囲）も同時に達成される。
【図面の簡単な説明】
【００４６】
【図１】光学的要素を保持するための本発明の回転ディスクの概略図である。
【図２】光学的要素を保持するための本発明の装置にある切欠部と係止係合する、弾性支承されたボールを示す図である。
【図３】図１の回転ディスクの概略的平面図である。
【図４】図３のラインＣ−Ｃに沿った断面図である。
【図５】２つの円弧に相応するプロフィールを有する本発明の装置の切欠部を示す図である。
【図６】光学的要素に対する本発明の回転ディスクと担持装置を備える顕微鏡を示す図である。
【図７Ａ】本発明の長手スライダの斜視図である。
【図７Ｂ】本発明の長手スライダとボールベアリングが係止係合した状態の縦方向部分断面図である。
【符号の説明】
【００４７】
１  回転ディスク；光学的要素を保持するための装置
２  長手スライダ；光学的要素を保持するための装置
３  自由開口部
４  軌道
５  切欠部（ノッチ）
６  ボールベアリング
７  ボール
８  弾性支承部、板バネ
９  対称軸
１０  内側プロフィール
１１  外側プロフィール
１２  中央孔部（回転ディスク内の）
１３  回転軸
１４  歯部
１５  ピニオン
１６  モータ
１７  担持装置
１８  光学的要素、蛍光フィルタブロック
１９  外側プロフィール１１への曲率半径ｒ１の中心
２０  内側プロフィール１０への曲率半径ｒ２の中心
２５  顕微鏡、蛍光顕微鏡
２６  対象物
２７  照明ビーム路
２８  結像ビーム路
２９  励起フィルタ
３０  ビームスプリッタ
３１  除去フィルタ
３２  ランプハウス
３３  光源
３４  鏡筒
３５  接眼レンズ
３６  対象物台
３７  調整ユニット
３８  対物レンズリボルバ
３９  対物レンズ
４０  符号化標識
４１ａ，ｂ  絞り
４２  照明光学系
４４  プリズム
４５  鏡筒光学系
４６  中間像面
【図１】
2006119645.tif 000003
【図２】
2006119645.tif 000004
【図３】
2006119645.tif 000005
【図４】
2006119645.tif 000006
【図５】
2006119645.tif 000007
【図６】
2006119645.tif 000008
【図７Ａ】
2006119645.tif 000009
【図７Ｂ】
2006119645.tif 000010